(57)【要約】【課題】音を略円弧状に放射することができるスピーカを提供する。【解決手段】本発明の一形態に係るスピーカ１は、年輪Ｒが略同心円状に形成された木製の振動板３と、振動板３における年輪Ｒの中心位置に配置された振動体２と、を備えている。ここで、振動板３は、略中央部に年輪Ｒの中心が配置されることが好ましい。また、振動板３として第１の振動板と第２の振動板とを備え、第１の振動板と第２の振動板とで振動体２が挟み込まれることが好ましい。【選択図】図１
2013172415.tif 000002
【特許請求の範囲】
【請求項１】
年輪が略同心円状に形成された木製の振動板と、
前記振動板における年輪の中心位置に配置された振動体と、
を備えるスピーカ。
【請求項２】
前記振動板は、略中央部に年輪の中心が配置される請求項１に記載のスピーカ。
【請求項３】
前記振動板として第１の振動板と第２の振動板とを備え、
前記第１の振動板と前記第２の振動板とで前記振動体が挟み込まれる請求項１又は２に記載のスピーカ。
【請求項４】
振動体を、年輪が略同心円状に形成された木製の振動板における前記年輪の中心位置に配置するスピーカの製造方法。
【請求項５】
前記振動板の略中央部に年輪の中心を配置する請求項４に記載のスピーカの製造方法。
【請求項６】
前記振動板である第１の振動板と第２の振動板とで前記振動体を挟み込む請求項４又は５に記載のスピーカの製造方法。
【発明の詳細な説明】
【技術分野】
【０００１】
本発明はスピーカ及びスピーカの製造方法に関する。
【背景技術】
【０００２】
例えば、特許文献１及び２には木製の振動板を有するスピーカが開示されている。このように木材をスピーカの振動板として用いる場合は、原木から振動板を切り出す際の効率やスピーカの強度等を考慮して、図１２や図１３に示すように、通常、年輪の節ｒが横方向に配置されるように加工されることが多い。
【先行技術文献】
【特許文献】
【０００３】
【特許文献１】特開２００８−６６９５９号公報
【特許文献２】特開２００４−３４３６７０号公報
【発明の概要】
【発明が解決しようとする課題】
【０００４】
図１２や図１３に示すような年輪の節ｒが横方向に配置される木材は、縦方向と横方向とで強度が異なる。そのため、図１２や図１３に示す木材を振動体ｗ（図１４Ａ及び図１４Ｂを参照）で振動させると、節ｒのある硬い部分では振動が伝わり易く、節ｒと節ｒとの間の柔らかい部分では振動が伝わり難い。
【０００５】
ここで、図１４Ａ及び図１４Ｂは、当該木材を振動体ｗで振動させた際の伝達特性を示している。ちなみに、図１４Ａ及び図１４Ｂでは、矢印が大きいほど振動が強く伝達されていることを示し、矢印の向きは伝達方向を示している。
【０００６】
図１４Ａ及び図１４Ｂに示すように、節ｒと平行な方向と直交する方向とで振動の伝わり方が異なってしまう。そのため、年輪の節ｒが横方向に配置される木材を振動板として用いるスピーカは、音の指向特性に偏りが生じてしまう。
【０００７】
本発明の目的は、このような問題を解決するためになされたものであり、音を略円弧状（即ち、振動体ｗを通り、振動板に対して垂直な面上に配置される矢印の先端を結んで形成される線の形状が略円弧状）に放射することができ、音の指向性の偏りを改善することが可能な、スピーカ及びスピーカの製造方法を提供することである。
【課題を解決するための手段】
【０００８】
本発明の一形態に係るスピーカは、年輪が略同心円状に形成された木製の振動板と、前記振動板における年輪の中心位置に配置された振動体と、を備える。
上記スピーカにおいて、前記振動板は、略中央部に年輪の中心が配置されること、が好ましい。
上記スピーカは、前記振動板として第１の振動板と第２の振動板とを備え、前記第１の振動板と前記第２の振動板とで前記振動体が挟み込まれること、が好ましい。
本発明の一形態に係るスピーカの製造方法は、振動体を、年輪が略同心円状に形成された木製の振動板における前記年輪の中心位置に配置する。
上記スピーカの製造方法において、前記振動板の略中央部に年輪の中心を配置すること、が好ましい。
上記スピーカの製造方法において、前記振動板である第１の振動板と第２の振動板とで前記振動体を挟み込むこと、が好ましい。
【発明の効果】
【０００９】
以上、説明したように、本発明によると、音を略円弧状に放射することができ、音の指向性の偏りを改善することが可能な、スピーカ及びスピーカの製造方法を提供することができる。
【図面の簡単な説明】
【００１０】
【図１】本発明の実施の形態１に係るスピーカを概略的に示す斜視図である。
【図２】本発明の実施の形態１に係るスピーカに用いられる振動体を示す斜視図である。
【図３】図２のIII−III矢視断面図である。
【図４Ａ】本発明の実施の形態１に係るスピーカに用いられる振動板の振動の伝達特性を示す図である。
【図４Ｂ】本発明の実施の形態１に係るスピーカに用いられる振動板の振動の伝達特性を示す異なる図である。
【図５】本実施の形態１に係るスピーカを用いた筒型スピーカユニットを示す斜視図である。
【図６】スピーカを取り外した状態の、筒型スピーカユニットを示す斜視図である。
【図７】本実施の形態１に係るスピーカの振動板を示す斜視図である。
【図８】図５のVIII-VIII線矢視断面図である。
【図９】図８のＡ部拡大図である。
【図１０】図５のX-X線矢視断面図である。
【図１１】筒型スピーカユニットの機能ブロック図である。
【図１２】従来のスピーカに用いられる振動板を概略的に示す図である。
【図１３】従来のスピーカに用いられる、異なる振動板を概略的に示す図である。
【図１４Ａ】従来のスピーカに用いられる振動板の振動の伝達特性を示す図である。
【図１４Ｂ】従来のスピーカに用いられる振動板の振動の伝達特性を示す異なる図である。
【発明を実施するための形態】
【００１１】
以下、本発明を実施するための形態について、添付図面を参照しながら説明する。但し、本発明が以下の実施の形態に限定される訳ではない。また、説明を明確にするため、以下の記載及び図面は、適宜、簡略化されている。
【００１２】
＜実施の形態１＞
先ず、本実施の形態のスピーカの構成を説明する。本実施の形態のスピーカは、所謂面状スピーカとして好適に実施される。
【００１３】
図１に示すように、スピーカ１は、振動体２、振動板３を備えている。振動体２は、詳細は後述するが、振動板３に少なくとも接触した状態とされる。つまり、振動体２は、音響信号に基づいて振動板３を振動させることができるように当該振動板３に保持されていれば良く、例えば振動板３に嵌め込まれたり、両面テープで接合されたりする。
【００１４】
振動体２としては、一般的なエキサイターを用いることができる。本実施の形態の振動体２は、図２に示すように、略円盤形状である。この振動体２は、図３に示すように、ボビン部４を含むボビン側振動部材５、磁気回路側振動部材６を備えている。ボビン部４には、電気コイルＬが巻かれている。
【００１５】
磁気回路側振動部材６は、ヨーク７、リング状の永久磁石８から成る磁気回路部Ｆを含んでいる。磁気回路部Ｆは、ボビン部４に設けられた電気コイルＬが挿入される磁気ギャップを形成している。
【００１６】
ボビン側振動部材５と磁気回路側振動部材６とは、ダンパー９によって弾性的に連結されている。以上の構成で、電気コイルＬに音響信号が入力されると、ボビン側振動部材５と磁気回路側振動部材６との間の距離ｄが信号に応じて変化する。
【００１７】
振動板３は、木製の板状部材であり、略長方形状に形成されている。本実施の形態の振動板３は、図１に示すように、略中央部に年輪の中心が配置されるように、原木から切り出されて形成される。つまり、年輪は同心円状に配置されるので、その中心が振動板３の略中央部に配置される。言い換えると、振動板３の略中央部から年輪が略波紋状に広がっている。ここで、振動板３の中央部とは、例えば重心位置である。なお、年輪は厳密な円形である必要はなく、楕円であっても良い。
【００１８】
このような振動板３の略中央部、即ち年輪の略中心に振動体２が配置されている。図４Ａ及び図４Ｂは、振動板３における振動の伝達特性を示している。ちなみに、図４Ａ及び図４Ｂでは、矢印が大きいほど振動が強く伝達されていることを示し、矢印の向きが伝達方向を示している。
【００１９】
図４Ａに示すように、振動体２が配置された部分の年輪の節Ｒ１が先ず振動し、この振動で節Ｒ１の外側に配置される節Ｒ２が振動する。さらに、この振動で節Ｒ２の外側に配置される節Ｒ３が振動する。このように、振動体２の振動が順次、外側の年輪の節を振動させることになる。このとき、振動体２の振動は、年輪の節ＲとＲとの間の柔らかい部分で減衰するので、外側に向かうにつれて、減衰する。そのため、図４Ｂに示すように、振動板３の略中央部を中心として略円弧状に、音を放射することができる。ここで、年輪は同心円状に配置されているので、このような特性を三次元で実現することができる。これにより、スピーカ１はすり鉢状の振動体を備えるスピーカと似たような、偏りの少ない指向特性を持たせることができる。
【００２０】
ちなみに、上述の特性を実現するためには、年輪が強く表れた原木から振動板３を形成することが好ましい。年輪は色の薄い部分（節と節との間の部分）が春から夏にかけて作られ、色の濃い部分（節の部分）は夏から秋に作られる。そのため、四季が明確な国で育った原木から振動板３を形成することが好ましい。
【００２１】
また、上記構成のスピーカ１を複数用いて、ステレオ再生を実現する場合は、各々のスピーカ１の振動板３を同一の原木から切り出すことが好ましい。これにより、スピーカ１相互の音響特性を整えることができる。
【００２２】
なお、本実施の形態の振動板３は、略長方形状に形成したが、他の多角形状や円形状、楕円形状でも良く、形状は特に限定されない。勿論、年輪の節の形状に沿った外形形状とすることもできる。
【００２３】
次に、上述のスピーカ１の使用形態を説明する。本実施の形態では、図５に示すように、スピーカ１を用いて筒型スピーカユニット１０を構成する。
【００２４】
筒型スピーカユニット１０は、スピーカ１、筒体１１、電子基板１２（図１０を参照）を備えている。筒体１１は、４つの板体１３を含む略角筒状に形成されている。各板体１３は、略正方形状であって、隣り合う他の板体１３に対して直交するように連結されている。図５は、筒型スピーカユニット１０の設置態様の一例を示している。以下、説明の便宜上、図５に示す筒型スピーカユニット１０の設置態様において、上側となる板体１３を天板１４と称し、下側となる板体１３を底板１５と称し、その他の２つの板体１３を側板１６と称する。
【００２５】
天板１４、底板１５及び側板１６は木製であり、各側板１６にスピーカ１が取り付けられる。側板１６には、図６に示すように、スピーカ１を収納するための第１の窪み部１６ａが形成されている。第１の窪み部１６ａは、天板１４と底板１５が対向する方向に沿って略長方形状に形成されている。第１の窪み部１６ａの四隅には、雌ネジ型のアンカー１７が埋められている。第１の窪み部１６ａの底面には、スピーカ１の振動体２を保持するための第２の窪み部１６ｂが形成されている。
【００２６】
この第１の窪み部１６ａをスピーカ１の振動板３で覆うように、当該振動板３が側板１６に取り付けられる。そのため、本実施の形態の振動板３は、図７に示すように、略長方形状に形成されている。そして、振動板３の内側面３ａには、振動体２を保持するための窪み部３ｂが形成されている。つまり、窪み部３ｂの中央部が年輪の中心と略一致するように形成されている。振動板３の四隅には、貫通孔３ｃが夫々形成されている。
【００２７】
スピーカ１を側板１６に嵌め込んで取り付けるには、振動板３の窪み部３ｂに振動体２を嵌め込んでスピーカ１を構成し、図８に示すように、側板１６の第１の窪み部１６ａにスピーカ１を嵌め込む。このとき、側板１６の第２の窪み部１６ｂにスピーカ１の振動体２を嵌め込む。そして、ボルト（図示を省略）を振動板３の貫通孔３ｃに通して側板１６のアンカー１７に捻じ込むことで、スピーカ１を側板１６に取り付ける。振動体２は振動板３と側板１６とで挟み込まれた状態で、図９に示すように、振動体２の磁気回路側振動部材６は、振動板３の窪み部３ｂの底面に接触し、振動体２のボビン側振動部材５は、側板１６の第２の窪み部１６ｂの底面に接触する。そして、各振動体２は、側板１６と振動板３から荷重Ｐを受けることで、側板１６と振動板３によって保持される。このとき、図８に示すように、側板１６における他方の側板１６と対峙する面１６ｃと振動板３の外側面３ｄとは略面一に配置される。
【００２８】
底板１５は、図１０に示すように、底板本体１８、蓋体１９を備えている。底板本体１８には、底板１５内に電子基板１２を収納するための窪み部１８ａが形成されている。蓋体１９は、窪み部１８ａを覆う。このとき、底板本体１８における天板１４と対峙する面１８ｂと蓋体１９の外側面１９ａとは略面一に配置される。
【００２９】
電子基板１２は、図１１に示すように、バッテリー２０、受信機２１、２つの増幅器２２を備えている。バッテリー２０は、受信機２１や各増幅器２２に電力を供給する。受信機２１は、例えばFM方式やBluetooth方式（登録商標）などの無線方式で音響信号を受信し、受信した音響信号を２つの増幅器２２へ出力する。各増幅器２２は、入力された音響信号を増幅して振動体２の電気コイルＬに出力する。
【００３０】
上記の電子基板１２には、例えばiphone（登録商標）等、Bluetooth方式の無線通信機能を備えた再生機器２３が無線で接続される。即ち、再生機器２３は、音響信号を記憶する記憶部２４、送信機２５を備えている。送信機２５は、記憶部２４から読み込んだ音響信号を無線出力する。
【００３１】
以上の構成で、再生機器２３で所望の音響信号を選択すると、送信機２５は、選択された音響信号を記憶部２４から読み込んで無線送信する。筒型スピーカユニット１０の電子基板１２の受信機２１は、無線送信された音響信号を受信し、受信した音響信号を各増幅器２２を介して各振動体２に出力する。
【００３２】
振動体２は、音響信号が入力されると、その音響信号に応じて振動する。このとき、図９に示すボビン側振動部材５と磁気回路側振動部材６は互いに近づいたり離れたりして振動するので、振動板３と側板１６から放射される音波は、同じ位相で放射されることになる。つまり、側板１６も振動板として機能することになる。このとき、側板１６の第２の窪み部１６ｂの中央部は年輪の中心と略一致するように形成されていることが好ましい。また、側板１６の年輪の形状と、振動板３の年輪の形状と、は略等しいことが好ましい。つまり、側板１６の第１の窪み部１６ａをスピーカ１の振動板３で覆った際に、年輪が略連続することが好ましく、例えば側板１６とスピーカ１の振動板３とが同一の原木から切り出されることが好ましい。
【００３３】
また、振動体２の振動は、筒体１１全体に伝達され、筒体１１全体が振動体として機能する。従って、筒型スピーカユニット１０の無指向性は、高いレベルで実現されることになる。
【００３４】
＜他の実施の形態＞
実施の形態１の振動体２では、エキサイターを用いたが、振動体であれば特に限定されず、例えばスピーカを用いても良い。この場合、スピーカの中心と年輪の中心とが略一致するように、スピーカにおける振動板を保持するフレームを振動板に取り付けると良い。
【００３５】
なお、本発明は上記実施の形態に限られたものではなく、趣旨を逸脱しない範囲で適宜変更することが可能である。例えば上記実施の形態では、音響信号を無線によりスピーカユニット１０に出力しているが、音響信号を有線により増幅器２２に出力しても良い。
例えば上記実施の形態では、振動板３の略中央部に年輪の中心を配置したが、年輪の中心を配置する位置は特に限定されない。
【符号の説明】
【００３６】
１  スピーカ
２  振動体
３  振動板、３ａ  内側面、３ｂ  窪み部、３ｃ  貫通孔、３ｄ  外側面
４  ボビン部
５  ボビン側振動部材
６  磁気回路側振動部材
７  ヨーク
８  永久磁石
９  ダンパー
１０  筒型スピーカユニット
１１  筒体
１２  電子基板
１３  板体
１４  天板
１５  底板
１６  側板、１６ａ  第１の窪み部、１６ｂ  第２の窪み部、１６ｃ  側板における他方の側板と対峙する面
１７  アンカー
１８  底板本体
１８ａ  窪み部
１８ｂ  底板本体における天板と対峙する面
１９  蓋体
１９ａ  外側面
２０  バッテリー
２１  受信機
２２  増幅器
２３  再生機器
２４  記憶部
２５  送信機
Ｆ  磁気回路部
Ｌ  電気コイル
Ｒ  節
ｒ  節
ｗ  振動体
【図１】
2013172415.tif 000003
【図２】
2013172415.tif 000004
【図３】
2013172415.tif 000005
【図４Ａ】
2013172415.tif 000006
【図４Ｂ】
2013172415.tif 000007
【図５】
2013172415.tif 000008
【図６】
2013172415.tif 000009
【図７】
2013172415.tif 000010
【図８】
2013172415.tif 000011
【図９】
2013172415.tif 000012
【図１０】
2013172415.tif 000013
【図１１】
2013172415.tif 000014
【図１２】
2013172415.tif 000015
【図１３】
2013172415.tif 000016
【図１４Ａ】
2013172415.tif 000017
【図１４Ｂ】
2013172415.tif 000018